(57)【特許請求の範囲】
【請求項１】
シャーシ上に延在するガイドシャフトによって光ピックアップをディスクの径方向へ案内する光ピックアップ移送機構において、
前記シャーシに螺着されてねじ頭で前記ガイドシャフトの端部を押圧可能な固定ねじと、この固定ねじに外装された板状弾性体とを備え、前記ねじ頭と前記板状弾性体との間に前記ガイドシャフトの端部を挟み込んで保持すると共に、前記シャーシに前記板状弾性体を載置させるための溝部を設け、この溝部の相対向する一対の傾斜面が前記ガイドシャフトの軸心から等距離に位置するように設定したことを特徴とする光ピックアップ移送機構。
【請求項２】
請求項１の記載において、前記板状弾性体が円環状のゴム板からなり、このゴム板を圧入によって前記固定ねじに外装させたことを特徴とする光ピックアップ移送機構。
【請求項３】
請求項１または２の記載において、前記シャーシが樹脂モールド品であると共に、前記固定ねじがタッピングねじであり、前記シャーシに設けた下穴に前記タッピングねじを螺着させたことを特徴とする光ピックアップ移送機構。
【請求項４】
請求項３の記載において、天面側にＶ溝を有する台座部を前記シャーシに突設し、前記Ｖ溝を前記溝部となすと共に、この台座部の略中央に前記下穴を設けたことを特徴とする光ピックアップ移送機構。
【発明の詳細な説明】
【技術分野】
【０００１】
本発明は、ディスクプレーヤに備えられる光ピックアップ移送機構に係り、特に、シャーシ上に延在して光ピックアップをディスクの径方向へ案内するガイドシャフトを固定するためのガイドシャフト取付構造に関するものである。
【背景技術】
【０００２】
光ピックアップを用いてＣＤやＤＶＤ等のディスクに対して情報を記録および／または再生する場合、光ピックアップをディスクの半径方向へ移送する必要があるため、ディスクプレーヤには、モータやガイドシャフト等をシャーシに配設してなる光ピックアップ移送機構が装備されている。モータの駆動力は歯車群を介して光ピックアップに伝達され、この光ピックアップがシャーシ上に延在するガイドシャフトに案内されながら、その軸線方向に沿って往復移動するようになっている。
【０００３】
かかる光ピックアップ移送機構において、ガイドシャフトの端部はシャーシ上の所定位置に保持されるが、光ピックアップの光軸をディスクの記録面に対して正しく直交させるために、組立工程でシャーシに対するガイドシャフトの端部の高さ位置を調整可能にしたガイドシャフト取付構造が広く採用されている。このようなガイドシャフト取付構造としては、シャーシに固定ねじを螺着させ、この固定ねじのねじ頭でガイドシャフトを押圧するという構造のものが一般的であり、固定ねじのねじ頭と圧縮コイルばね等のばね部材とでガイドシャフトの端部を挟み込んで保持するという構造のものも従来より知られている（例えば、特許文献１参照）。
【特許文献１】特開２００２−３３４５２８号公報
【発明の開示】
【発明が解決しようとする課題】
【０００４】
しかしながら、従来の光ピックアップ移送機構におけるガイドシャフト取付構造では、ガイドシャフトの端部の高さ位置を調整する際に、このガイドシャフトが高さ方向および長さ方向と直交する方向へぶれる虞があり、こうしたガイドシャフトのぶれが発生した場合、光ピックアップの円滑な移送が阻害されることとなる。また、固定ねじのねじ頭と圧縮コイルばね等のばね部材とでガイドシャフトの端部を挟み込むという構造のものは、固定ねじとばね部材をそれぞれシャーシに取り付けねばならないため組立作業性が良好とは言えず、例えば光ピックアップの移送を案内する２本のガイドシャフトの両端部を全て固定ねじとばね部材とで保持するという構造にした場合、煩雑な組立作業を余儀なくされることとなる。
【０００５】
本発明は、このような従来技術の実情に鑑みてなされたものであり、その目的は、ガイドシャフトの端部の位置調整を正確かつ簡便に行えて組立作業性も良好な光ピックアップ移送機構を提供することにある。
【課題を解決するための手段】
【０００６】
本発明は、シャーシに螺着される固定ねじに予めゴム等からなる板状弾性体を外装しておき、この固定ねじのねじ頭と板状弾性体との間にガイドシャフトの端部を挟み込んで保持するように構成すると共に、シャーシに板状弾性体が載置されるＶ溝等の溝部を設けておき、この溝部の相対向する一対の傾斜面がガイドシャフトの軸心から等距離に位置するという設定にした。
【発明の効果】
【０００７】
本発明の光ピックアップ移送機構によれば、ねじ頭と協働してガイドシャフトの端部を保持する板状弾性体が予め固定ねじに外装されており、これら固定ねじと板状弾性体を一体品としてシャーシに取り付けることができるため、組立作業性が良好となる。また、板状弾性体が載置されるシャーシの溝部は、その相対向する一対の傾斜面がガイドシャフトの軸心から等距離に位置するように設定されているため、これら両傾斜面によってガイドシャフトは高さ方向および長さ方向と直交する方向へのぶれが防止されることとなる。それゆえ、組立工程でシャーシに対するガイドシャフトの端部の位置調整を正確かつ簡便に行うことができる。
【発明を実施するための最良の形態】
【０００８】
本発明は、シャーシ上に延在するガイドシャフトによって光ピックアップをディスクの径方向へ案内する光ピックアップ移送機構において、前記シャーシに螺着されてねじ頭で前記ガイドシャフトの端部を押圧可能な固定ねじと、この固定ねじに外装された板状弾性体とを備え、前記ねじ頭と前記板状弾性体との間に前記ガイドシャフトの端部を挟み込んで保持すると共に、前記シャーシに前記板状弾性体を載置させるための溝部を設け、この溝部の相対向する一対の傾斜面が前記ガイドシャフトの軸心から等距離に位置するように設定した。
【０００９】
このように構成された光ピックアップ移送機構は、ガイドシャフトの端部を固定ねじのねじ頭と板状弾性体とで挟み込んで保持するというものであるが、板状弾性体は予め固定ねじに外装されているため、両者を一体品としてシャーシに取り付けることができる。したがって、ガイドシャフトの端部を保持する部材をシャーシに取り付ける際の組立作業性が良好で、例えば光ピックアップの移送を案内する２本のガイドシャフトの両端部を全て固定ねじと板状弾性体とで保持するという構造にした場合でも、４本の固定ねじをそれぞれシャーシの所定位置に螺着させるだけで済む。また、板状弾性体を載置させるための溝部がシャーシに設けてあり、この溝部の相対向する一対の傾斜面がガイドシャフトの軸心から等距離に位置するように設定されているため、これら両傾斜面が板状弾性体を介してガイドシャフトの端部を位置規制することとなる。したがって、組立工程でシャーシに対するガイドシャフトの端部の高さ位置を調整する際に、ガイドシャフトの端部が高さ方向および長さ方向と直交する方向へぶれる虞はなくなる。
【００１０】
上記の構成において、板状弾性体が円環状のゴム板からなり、このゴム板を圧入によって固定ねじに外装させると、板状弾性体を容易かつ確実に固定ねじに装着させることができるのみならず、ゴム製の板状弾性体によって光ピックアップ移送機構の防振機能を高めることもできるため、特に車載用ディスクプレーヤに好適な光ピックアップ移送機構を実現できる。
【００１１】
また、上記の構成において、シャーシが樹脂モールド品であると共に、固定ねじがタッピングねじであり、シャーシに設けた下穴に該タッピングねじ（固定ねじ）を螺着させると、シャーシを安価に製造することができて固定ねじの緩みも発生しにくくなる。この場合において、天面側にＶ溝を有する台座部をシャーシに突設し、該Ｖ溝を板状弾性体を載置させるための溝部となすと共に、この台座部の略中央に下穴を設けると、ガイドシャフトの端部が搭載される台座部に溝部や下穴を無理なく形成することができるため、シャーシの製造が容易になり小型化も図りやすくなる。
【実施例】
【００１２】
実施例について図面を参照して説明すると、図１は実施例に係る光ピックアップ移送機構とシャーシを示す全体斜視図、図２は図１に対応する平面図、図３は該光ピックアップ移送機構におけるガイドシャフトの端部近傍を示す斜視図、図４は図３に示すシャーシの台座部とその近傍の形状を示す斜視図、図５は図３に示す固定ねじと板状弾性体の取付前の外観を示す斜視図である。
【００１３】
図１と図２に示すシャーシ１は樹脂モールド品であり、このシャーシ１に２本のガイドシャフト２，３を介して光ピックアップ４が担持されている。シャーシ１の円板部１０には図示せぬディスク駆動装置が取り付けられ、このディスク駆動装置に装填される図示せぬディスクに対して光ピックアップ４が情報の記録および／または再生を行うようになっている。また、シャーシ１には、光ピックアップ４をディスクの半径方向へ移送するための光ピックアップ移送機構が配設されている。この光ピックアップ移送機構は、シャーシ１上に延在する２本のガイドシャフト２，３と図示せぬモータおよび歯車群等によって構成されており、モータの駆動力が歯車群を介して光ピックアップ４に伝達されることにより、この光ピックアップ４がガイドシャフト２，３に案内されながら、その軸線方向に沿って往復移動するようになっている。
【００１４】
ガイドシャフト２とガイドシャフト３は互いに平行に延在しており、これら２本のガイドシャフト２，３の軸線方向は光ピックアップ４をディスクの半径方向へ案内するように正確に設定されている。光ピックアップ４はガイドシャフト２側に前記モータの駆動力が伝達されるようになっているため、主動側のガイドシャフト２には光ピックアップ４の一側に突設された被案内部４０，４１が摺動自在に係合しており、従動側のガイドシャフト３には光ピックアップ４の他側に突設された被案内部４２が摺動自在に係合している。ガイドシャフト２，３はそれぞれの両端部がシャーシ１上の所定位置に後述する固定ねじ５等を用いて保持されているが、各端部の取付構造は同等なため、ガイドシャフト２の一端部２１の取付構造について詳しく説明する。
【００１５】
ガイドシャフト２は、光ピックアップ４の被案内部４０，４１と摺接可能な長尺部分に比して両端部２１，２２が小径に形成されており、シャーシ１上に突設された規制壁１１と規制壁１２によって両端部２１，２２の取付位置が規定されている。図３に示すように、ガイドシャフト２の一端部２１は相対向する一対の規制壁１１の間に挿入されていると共に、該端部２１の先端部分が固定ねじ５のねじ頭５０とゴム製の板状弾性体６とによって高さ方向に挟み込まれている。
【００１６】
固定ねじ５はタッピングねじであり、この固定ねじ５は図４に示すシャーシ１の台座部１３に設けられた下穴１４に螺着されて強固に固定されている。板状弾性体６は円環状のゴム板からなり、この板状弾性体６は圧入によって固定ねじ５に外装されている。そのため、板状弾性体６は容易かつ確実に固定ねじ５に装着させることができる。これら固定ねじ５と板状弾性体６は、シャーシ１に取り付ける前に予め図５に示すような外観で一体化されている。
【００１７】
シャーシ１の台座部１３はガイドシャフト２の一端部２１を搭載する受け部として突設されたものであり、図４に示すように、一対の規制壁１１の先端側に台座部１３が連続的に設けられている。この台座部１３の天面側には相対向する一対の傾斜面１６を有するＶ溝１５が形成されており、これら傾斜面１６はガイドシャフト２の軸心から等距離に位置するように設定されている。つまり、一対の傾斜面１６は傾斜角度が同じであると共に、両傾斜面１６の境界線１７がガイドシャフト２の軸心の真下に位置するように設定されている。また、台座部１３の略中央には固定ねじ５をセルフタップで螺着させるための下穴１４が形成されている。
【００１８】
そして、固定ねじ５のねじ頭５０とＶ溝１５上に搭載した板状弾性体６との間にガイドシャフト２の一端部２１の先端部分を挟み込んだ状態で、固定ねじ５を十字ドライバ等の治具を用いて下穴１４に螺着させると、図３に示すように、ゴム製の板状弾性体６が両傾斜面１５に沿うＶ字形状に弾性変形して該端部２１を弾性付勢するため、この板状弾性体６とねじ頭５０とによってガイドシャフト２の一端部２１が強い力で挟圧される。これにより、ガイドシャフト２の一端部２１をシャーシ１上の所定位置に取り付けることができると共に、固定ねじ５を適宜回転させることによって該端部２１の高さ位置を容易に調整することができる。
【００１９】
なお、ガイドシャフト２の他端部２２やガイドシャフト３の両端部も、同様にしてシャーシ１上の所定位置に取り付けられている。
【００２０】
このように本実施例に係る光ピックアップ移送機構では、ガイドシャフト２，３の各端部を固定ねじ５のねじ頭５０と板状弾性体６とで挟み込んで保持するという取付構造を採用しているが、板状弾性体６は予め固定ねじ５に外装されているため、両者５，６を一体品としてシャーシ１に取り付けることができる。したがって、ディスクの記録面に対する光ピックアップ４の光軸の直交度を高精度に調整するために２本のガイドシャフト２，３の各端部が全て高さ調整できるようにしてあるにも拘らず、その取付作業は４本の固定ねじ５をそれぞれシャーシ１の所定位置に螺着させるだけで済み、これらガイドシャフト２，３の取付作業が煩雑化する虞はない。
【００２１】
また、本実施例に係る光ピックアップ移送機構では、板状弾性体６を載置させるためのＶ溝１５がシャーシ１の台座部１３に設けてあり、このＶ溝１５の相対向する一対の傾斜面１６が対応するガイドシャフト２（または３）の軸心から等距離に位置するように設定されているため、これら両傾斜面１６が板状弾性体６を介して当該ガイドシャフトの端部を位置規制することができる。したがって、組立工程でシャーシ１に対するガイドシャフト２，３の端部の高さ位置を調整する際に、当該ガイドシャフトの端部が高さ方向および長さ方向と直交する方向へぶれる虞はなく、それゆえ当該ガイドシャフトの端部の位置調整を正確かつ簡便に行うことができる。
【００２２】
しかも、本実施例に係る光ピックアップ移送機構では、ゴム製の板状弾性体６を用いているため、この板状弾性体６を容易かつ確実に固定ねじ５に装着させることができる。また、ゴム製の板状弾性体６によって光ピックアップ移送機構の防振機能を高めることができるため、車載用ディスクプレーヤに適用して信頼性の向上が図れる。
【００２３】
さらに、本実施例に係る光ピックアップ移送機構では、シャーシ１が樹脂モールド品であると共に、固定ねじ５がタッピングねじであり、この固定ねじ５がシャーシ１の下穴１４にセルフタップで螺着されているため、シャーシ１を安価に製造することができて固定ねじ５の緩みも発生しにくい。また、Ｖ溝１５や下穴１４はシャーシ１の台座部１３に無理なく形成することができるため、シャーシ１の製造は容易であり小型化も図りやすい。
【００２４】
なお、上記実施例では、シャーシ１が樹脂モールド品の場合について説明したが、シャーシがアルミダイカスト等の金属製であってもよく、その場合は、ねじ溝を有するシャーシのねじ穴に固定ねじを螺着させることが好ましい。
【００２５】
また、上記実施例では、光ピックアップ４を２本のガイドシャフト２，３で案内する光ピックアップ移送機構について説明したが、一方のガイドシャフトに相当する突部をシャーシ１に一体成形し、他方のガイドシャフトが１本しかない光ピックアップ移送機構の場合にも、そのガイドシャフトの端部の取付構造に本発明を適用することによって上記実施例と同様の効果が得られる。
【図面の簡単な説明】
【００２６】
【図１】本発明の実施例に係る光ピックアップ移送機構とシャーシを示す全体斜視図である。
【図２】図１に対応する平面図である。
【図３】該光ピックアップ移送機構におけるガイドシャフトの端部近傍を示す斜視図である。
【図４】図３に示すシャーシの台座部とその近傍の形状を示す斜視図である。
【図５】図３に示す固定ねじと板状弾性体の取付前の外観を示す斜視図である。
【符号の説明】
【００２７】
１  シャーシ
２，３  ガイドシャフト
４  光ピックアップ
５  固定ねじ
６  板状弾性体
１１，１２  規制壁
１３  台座部
１４  下穴
１５  Ｖ溝（溝部）
１６  傾斜面
２１，２２  （ガイドシャフトの）端部
５０  ねじ頭
【図１】
0005042045.tif 000002
【図２】
0005042045.tif 000003
【図３】
0005042045.tif 000004
【図４】
0005042045.tif 000005
【図５】
0005042045.tif 000006